(57)【要約】【課題】各水施設の残留塩素濃度管理、あるいは不足する二酸化塩素の追加作業を１台の装置で集中管理できるようにして、管理を簡単に行えるようにすること。【解決手段】各水施設Ａｎについての、使用曜日及び使用時間帯毎における、前記二酸化塩素水の注入量を設定する注入設定手段と、生成すべき二酸化塩素水の濃度を設定する濃度設定手段と、貯溜タンクからの残量データ及び前記濃度設定手段からの設定濃度データを受けて、反応生成器に供給すべき材料及び水の量を決定して、前記二酸化塩素の生成を制御する生成制御手段と、前記注入量設定手段からの注入データを受けて、各水施設Ａｎの注入ポンプの制御を行うポンプ制御手段とを備えたこと。【選択図】図１
2009136723.tif 000002
【特許請求の範囲】
【請求項１】
材料タンクからの材料と水供給源からの水とを受けて、二酸化塩素を生成する反生成器と、この反応生成器からの二酸化塩素を貯溜する貯溜タンクとと、この貯溜タンクからの二酸化塩素を、多数の人が利用する複数の水施設にそれぞれ注入する注入ポンプとを備えた二酸化塩素水生成注入装置であって、
前記各水施設についての、使用曜日及び使用時間帯毎における、前記二酸化塩素水の注入量を設定する注入設定手段と、
生成すべき二酸化塩素水の濃度を設定する濃度設定手段と、
前記貯溜タンクからの残量データ及び前記濃度設定手段からの設定濃度データを受けて、前記反応生成器に供給すべき材料及び水の量を決定して、前記二酸化塩素の生成を制御する生成制御手段と、
前記注入量設定手段からの注入データを受けて、前記各水施設の注入ポンプの制御を行うポンプ制御手段とを備えたことを特徴とする二酸化塩素水生成注入装置。
【発明の詳細な説明】
【技術分野】
【０００１】
本発明は、二酸化塩素水生成注入装置に関し、特に多数の人が利用するプールや大型浴場の複数の水施設に対して、その浄化もしくは有機物の酸化分解を行う二酸化塩素水を、１台で効率的に注入できるようにした二酸化塩素水生成注入装置に関するものである。
【背景技術】
【０００２】
一般に、多数の人が利用するプールや大浴場においては、図４にも示すように、使用水を循環させる過程で、毛髪やゴミの除去を行ったり、ボイラー等を使用した加熱が行われていることは当然として、レジオネラ属菌や大腸菌等の菌の発生を防止する対策が施されている。
【０００３】
このプールや大浴場におけるレジオネラ属菌や大腸菌等の菌の発生を防止する対策としては、特許文献１の段落０００３及び０００４にも記載されているように、種々なものが採用されている。この特許文献１の段落０００３及び０００４には、
（イ）従来、生食野菜類、卵等の殻の洗浄殺菌剤として使用され、またプール水の殺菌にも有効な殺菌剤としては、次亜塩素酸ソーダ或いは次亜塩素酸カルシウム（晒粉）がよく知られている。中でも近年浄水、プール水の殺菌剤としては、次亜塩素酸ソーダが主流となっている。
（ロ）プール水においては、高度晒粉、トリクロロイソシアヌル酸等の微粉末、或いは直径２０ｍｍ、厚さ１０ｍｍ程度のタブレット化した製品を投入して、法的基準として残留塩素濃度が０．４ｍｇ／ｌ（＝ｐｐｍ）になるように調整して使用されている。また、野菜、食器類の殺菌洗浄剤としても次亜塩素酸ソーダが食品工場で多く使用されている。
（ロ）しかし、この次亜塩素酸ソーダは河川取水口の水質の悪い個所では浄水の殺菌剤として使用すると、発癌性物質であるトリハロメタンが生成されるという問題点がある。
（ハ）プール水殺菌についても従来の塩素消毒では有機物の酸化分解に大きなエネルギーを必要とし、その反応の結果、発癌性物質として飲料水基準に定められているトリハロメタンを生成する。プール水中に生成されたトリハロメタンは揮発してプール水の表面に漂い、遊泳者の器官へと運ばれて影響を及ぼすばかりか、インストラクター、監視員をも危険に曝すこととなり、その障害が波及しているという報告がなされている。
（ニ）上記のような薬品障害を避けるために、最近では次亜塩素酸塩よりも酸化力が緩やかな二酸化塩素による殺菌剤が用いられつつある。例えば浄水においてはアメリカ、カナダ、韓国、イタリア、ドイツ、北欧では二酸化塩素殺菌が主流となっており、世界的にもその傾向が色濃く出て来ている。
（ホ）わが国では、プールの殺菌についても「厚生省生活衛生局長遊泳用プールの衛生基準について」平成４年７月１日適用に一般及び公的機関のプールにおいて使用が許可され、二酸化塩素濃度が０．１ｍｇ／ｌ以上、０．４ｍｇ／ｌ以下であること、また水中の亜塩素酸濃度は１．２ｍｇ／ｌ以下と規定されている。
といった現状にあることが記載されており、二酸化塩素は、一定の条件の下で、プールや大浴場等の水施設の水を浄化する材料あるいは薬剤として注目を浴びているものである。
【０００４】
このような、水施設の浄化を行う二酸化塩素の生成装置として、出願人は特許文献４等において種々提案してきており、特許文献２及び特許文献３においても、種々な提案がなされてきている。
【特許文献１】特開２００１−２８６８７１号公報、要約、代表図、段落３及び４
【特許文献２】特開平０６−３９３７６号公報、要約、代表図
【特許文献３】特開２００１−２７６８４１号公報、要約、代表図
【特許文献４】特開２００５−２９３９５号公報
【発明の開示】
【発明が解決しようとする課題】
【０００５】
特許文献１には、「野菜等の洗浄、プール水の殺菌に使用される亜塩素酸アルカリ、安定化二酸化塩素はアルカリ性では効力が弱く、酸性にして活性化させるため使用現場で酸を添加する必要があり、しかも安定した濃度で遊離二酸化塩素を製造することが困難で不便であった」点に着目して開発された「殺菌剤の製法と水の殺菌方法及びそれらに用いられる装置」が提案されている。
【０００６】
この特許文献１にて提案された装置は、図９に示すように、「可変定流量弁を備え水媒体を流通する水平管と、水平管の下部に開口し亜塩素酸塩水溶液と酸溶液とを導入して管内で反応させる直立管とよりなる装置を使用し、直立管内で発生する二酸化塩素ガスのガスリフトにより、直立管上部に設けられた圧力弁及び又は逆止弁を介して反応液を水平管に導き水媒体に溶解して二酸化塩素水を製造する。また水媒体として被処理水を使用することにより、水平管内で又は水平管を含む経路内を循環させて水の殺菌を行う」ものである。
【０００７】
しかしながら、この装置では、大きさ（使用する水量の多寡）も使用人数も異なる複数の水施設の水の浄化を同時に行うことは想定しておらず、この特許文献１に記載されているような装置を水施設の数に応じて用意しなければならず、各水施設の管理が非常に面倒になると考えられる。
【０００８】
すなわち、二酸化塩素を採用して複数の水施設の浄化を行うに当たっては、
（１）各水施設の残留塩素濃度管理、あるいは不足する二酸化塩素の追加作業は、できれば１台の装置で集中管理できるようにして、管理を簡単に行えるようにすること。
が要望されているのである。
【０００９】
特許文献２には、「消毒剤として二酸化塩素を用いることを前提とし、取扱が容易で安全性が高い水泳用プールの消毒システムを提供すること」を目的としてなされた「水泳用プールの消毒システム」が提案されている。
【００１０】
この「水泳用プールの消毒システム」は、図１０に示すように、「二酸化塩素水を貯溜するための密閉型非透明タンク１１と、このタンクからの二酸化塩素水を水泳用プール１０に供給するための供給系１２，１３と、プール１０の水に新しい水を加えつつ循環させる循環系３０と、循環系３０によって循環される水の二酸化塩素濃度を測定する測定機４１，４２と、この測定機４１，４２の測定値に基づいて供給系１２，１３から供給された二酸化塩素水の供給量を制御するコントロールボックス４３とを具備する水泳用プールの消毒システム」といった構成を有するものである。
【００１１】
つまり、この特許文献２の「消毒システム」は、「循環される水の二酸化塩素濃度を測定する測定機４１，４２と、この測定機４１，４２の測定値に基づいて供給系１２，１３から供給された二酸化塩素水の供給量を制御するコントロールボックス４３とを具備する」ものであるが、この点に関しては、本発明者は、次のような見解を持っている。
【００１２】
一般的に、プール等の水施設は、図４に示すように、独立した循環経路（管路）を有しているものであるが、それぞれに塩素濃度センサー（特許文献２では測定機４１，４２）を設けて、この塩素濃度センサーからの信号に応じて塩素系薬品の投入が、或いは特許文献２では供給系１２，１３によって二酸化塩素水の供給が行われている。
【００１３】
ここで、塩素濃度センサーに必要とされている精度は、前記特許文献１にも記載されているように、０．０４ｐｐｍ前後であるが、この程度の精度を有した塩素濃度センサーは非常に高価なものである。しかも、この種の塩素濃度センサーの感知部分には、循環水中に残存している藻やゴミが付着して、その感度がすぐに落ちてしまう可能性があるだけでなく、プールのような水施設内で使用されている水量は非常に大量であるために、一部の水の中に薬品を投入してからプール全体に行き渡るまで相当時間も掛かることになって、正確な濃度管理を短時間内で行うことは非常に困難であると考えられる。
【００１４】
要するに、特許文献２が採用しているシステムでは、設備費が掛かる割には、期待されている効果を得ることが困難ではないかと本発明者は感じているものである。そして、二酸化塩素水によって水施設における水の浄化・殺菌は、後述するように、むしろ塩素濃度センサーを使用しない設備によって行うことを考えた方がよいのではないかとの見解を得て、本発明者は種々な検討を行ったのである。
【００１５】
すなわち、この種の水施設については、
（２）塩素濃度センサーを使用しない設備によって水の浄化・殺菌を行うようにすること
が要望されている。
【００１６】
そして、特許文献３には、「二酸化塩素による消毒であっても、プールの水が変色せずに、消毒能力を十分に発揮することができるプールの水の消毒装置又は消毒方法を提供すること」を目的としてなされた「プールの水の消毒装置又は消毒方法」が提案されている。
【００１７】
この特許文献３の「プールの水の消毒装置又は消毒方法」は、図１１にも示すように、「二酸化塩素を発生させる二酸化塩素発生装置１と、該二酸化塩素発生装置１によって発生した二酸化塩素をプールに供給する二酸化塩素供給装置６と、を備えたプールの水の消毒装置であって、前記二酸化塩素供給装置１は、一日当たり０．２５〜０．５０ｍｇ／ｌの二酸化塩素をプールに供給するよう構成」したものである。
【００１８】
この特許文献３の消毒方法では、「二酸化塩素供給装置１は、一日当たり０．２５〜０．５０ｍｇ／ｌの二酸化塩素をプールに供給するよう構成」したものであって、上記特許文献２におけると同様な改良点を含んでいるものと、本発明者は感じている。特に、「一日当たり０．２５〜０．５０ｍｇ／ｌの二酸化塩素をプールに供給する」という濃度管理は意味不明な部分があり、曜日によって利用者の数が大きく変化すると考えられるプールのような水施設に対する二酸化塩素の濃度管理には適してはいないのではないか、と発明者は感じているのである。
【００１９】
すなわち、プールや大浴場のような水施設については、休日にはウイークデイより大勢の人が利用すると考えられるし、また、同じ曜日の日でも時間帯によっても利用者数の変化は当然あるから、水施設の使用水の汚れ方は曜日や時間によって全く異なるものとなっているものである。二酸化塩素水を利用した消毒を行う場合、本来であれば図４にも示した塩素濃度センサーによって常時塩素濃度を検出するのがよいが、上記したように、特に二酸化塩素が複数あるときにはその各塩素濃度管理は非常に困難であるから、これを何とかしなければならないと、本発明者は感じているのである。
【００２０】
つまり、この種の水施設において、
（３）使用される曜日及び時間帯に合わせた塩素濃度管理が行えるようにすること
も要望されているのである。
【００２１】
そこで、本発明者等は、上記の（１）〜（３）の要望を同時に満たすことのできる水施設の浄化・殺菌を行うようにするにはどうしたらよいか、について種々検討を重ねてきた結果、本発明を完成したのである。
【００２２】
すなわち、本発明の目的とするところは、
（１）各水施設の残留塩素濃度管理、あるいは不足する二酸化塩素の追加作業は、できれば１台の装置で集中管理できるようにして、管理を簡単に行えるようにすること。
（２）塩素濃度センサーを使用しない設備によって、水の浄化・殺菌を行えるようにすること。
（３）使用される曜日及び時間帯に合わせた塩素濃度管理が行えるようにすること。
のできる二酸化塩素水生成注入装置を提供することにある。
【課題を解決するための手段】
【００２３】
以上の課題を解決するために、本発明の採った手段は、後述する最良形態の説明中で使用する符号を付して説明すると、
「材料タンク１１ａ・１１ｂからの材料と水供給源１２からの水とを受けて、二酸化塩素を生成する反生成器１０と、この反応生成器１０からの二酸化塩素を貯溜する貯溜タンクと２０と、この貯溜タンク２０からの二酸化塩素を、多数の人が利用する複数の水施設Ａ１〜Ａｎにそれぞれ注入する注入ポンプＰ１〜ポンプＰｎとを備えた二酸化塩素水生成注入装置１００であって、
各水施設Ａｎについての、使用曜日及び使用時間帯毎における、前記二酸化塩素水の注入量を設定する注入設定手段と、生成すべき二酸化塩素水の濃度を設定する濃度設定手段と、
貯溜タンク２０からの残量データ及び前記濃度設定手段からの設定濃度データを受けて、反応生成器１０に供給すべき材料及び水の量を決定して、前記二酸化塩素の生成を制御する生成制御手段と、
前記注入量設定手段からの注入データを受けて、各水施設Ａｎの注入ポンプＰｎの制御を行うポンプ制御手段とを備えたことを特徴とする二酸化塩素水生成注入装置１００」
である。
【００２４】
即ち、本発明に係る二酸化塩素水生成注入装置１００は、図１に示すように、これ１台で、各水施設Ａｎへ注入すべき二酸化塩素水の生成と、この二酸化塩素水の各水施設Ａｎへの注入とを行うようにしたものであり、前述した要望の（１）を達成するようにしたものである。また、この二酸化塩素水生成注入装置１００は、図４にも示すように、塩素濃度センサーを必要としないで各水施設Ａｎが有している循環管路に二酸化塩素水生成注入装置１００自らの制御で二酸化塩素水を注入するようにしたものである。
【００２５】
さて、この二酸化塩素水生成注入装置１００は、図２に示すように、二酸化塩素水を反応・生成するための反応生成器１０と、この反応生成器１０に投入されるべき材料を入れた第１材料タンク１１ａ及び第２材料タンク１１ｂと、反応生成器１０にて生成された二酸化塩素水を一時的に貯溜しておくための貯溜タンク２０とを備えているものである。なお、反応生成器１０が所謂三液タイプのものであれば、第３材料タンクが用意されていることは言うまでもない。
【００２６】
この二酸化塩素水生成注入装置１００を構成している反応生成器１０は、出願人の出願である特許文献４にも詳しく述べられているようなものであり、この中で二酸化塩素ガスを発生させると共に、発生した二酸化塩素ガスを水供給源１２から供給されている水に直ちに溶解させて、二酸化塩素水を生成するものである。二酸化塩素ガスの発生には、次の二通りが知られており、後述する最良形態の反応生成器１０は、この内の二液タイプのものである。
【００２７】
（ａ）５モルの塩素酸ナトリウムと４モルの塩酸を反応させて、４モルの二酸化塩素（気体）、５モルの塩化ナトリウム及び２モルの水を生成する方法。（二液タイプ）
（ｂ）２モルの塩素酸ナトリウムと１モルの次塩素酸ナトリウムと２モルの塩酸を反応させて、２モルの二酸化塩素（気体）、３モルの塩化ナトリウム及び１モルの水を生成する方法。（三液タイプ）
【００２８】
勿論、これらの反応生成器１０、第１材料タンク１１ａ及び第２材料タンク１１ｂは、制御装置５０に電気的に接続されていてるだけではなく、それぞれに図示しないポンプを有していて、第１材料タンク１１ａ及び第２材料タンク１１ｂからの材料の反応生成器１０への投入量、反応生成器１０への水供給源１２からの水の供給量、それぞれの各残量検知は、制御装置５０によって監視され、各ポンプの制御もなされている。
【００２９】
反応生成器１０にて生成された二酸化塩素水は、図示しないポンプによって貯溜タンク２０内に給送される。この貯溜タンク２０には、図３に示すように、水施設Ａｎの数（後述する最良形態では６施設）に応じた数の枝管３１〜３６を有した配管４０が接続されていて、各枝管３１〜３６には各ポンプＰｎを介して各水施設Ａｎの配管４０がそれぞれ接続してある。各配管４０は、該当する水施設Ａｎの循環管路に接続されている。
【００３０】
各水施設Ａｎにおいて重要なことは、図４に示すように、塩素濃度センサーは取り付ける必要がないことである。図４中には、この塩素濃度センサーを二点鎖線にて示しているが、これは従来技術説明のために図示したものであり、本発明に係る二酸化塩素水生成注入装置１００を採用する場合には、この塩素濃度センサーを不要とするか、あってもそのデータは使用しないのである。
【００３１】
さて、各水施設Ａｎに二酸化塩素水を注入するにあたって、その濃度や総量が重要となるのであるが、本発明に係る二酸化塩素水生成注入装置１００では、後述する実測に基づいたデータを利用して、制御装置５０による言わば予定制御を行うものである。
【００３２】
この制御装置５０による当該二酸化塩素水生成注入装置１００の制御は、後述する最良の形態の場合、図５に示すようなフローチャートの各ステップに応じた処理に従ってなされるものであり、それぞれのステップにおける状況は当該制御装置５０が有しているタッチディスプレイ５１によって表示される。このタッチディスプレイ５１は、所謂タッチスイッチともなっていて、図６に示す生成モニター画面５１ａ、図７に示す運転モニター画面５１ｂ，図８に示す注入設定画面５１ｃを表示できるものである。
【００３３】
さて、この制御装置５０のステップ１において、タッチディスプレイ５１にて注入設定画面５１ｃを表示させて、各水施設Ａｎについての、使用曜日及び使用時間毎における、二酸化塩素水の注入量をそれぞれ設定していく。この各設定は、後述する実施形態にて説明する通り、該当する水施設Ａｎについて予め実測データをとって、各曜日及び時間毎における、二酸化塩素水の最適注入量が判明しているから、その数値を具体的に入力する、ということでなされる。
【００３４】
また、ステップ２においては、反応生成器１０において生成すべき、つまり貯溜タンク２０内に貯溜しておく二酸化塩素水の二酸化塩素濃度を設定するのである。後述する表１〜表４にて実測した水施設Ａｎにおいては、１０００ｐｐｍが最適であることが判明しているから、タッチディスプレイ５１にて生成モニター画面５１ａを表示させて、ここで１０００（ｐｐｍ）を入力することにより、二酸化塩素水の濃度設定を行うことになる。
【００３５】
このようにして、二酸化塩素水の濃度設定が完了すれば、前述した反応生成器１０において、生成するための材料及び水の量が自動的に決まるから、この制御装置５０によって二酸化塩素水の生成を制御するのである。この場合、二酸化塩素水の生成が、前述した二液タイプによるか、三液タイプによるかを制御装置５０において予め設定しておけば、それに応じた材料及び水の量の監視は簡単に行え、何ら問題にはならない。
【００３６】
この二酸化塩素水の生成制御において、第１材料タンク１１ａまたは第２材料タンク１１ｂでの材料の残量がゼロに近くなれば、当然生成を停止させることになる。そのために、この二酸化塩素水生成注入装置１００の制御装置５０は、各第１材料タンク１１ａ及び第２材料タンク１１ｂの残量を常時検出しているものである。（ステップ８）
【００３７】
そして、この制御装置５０は、ステップ５において、上述した貯溜タンク２０内の二酸化塩素水の在庫量をチェックして、少なくなっていれば反応生成器１０を作動させるように制御することは勿論、十分な量になっていることを検知すれば、ステップ６に移行して、各ポンプＰｎの駆動を制御することになる。
【００３８】
つまり、この制御装置５０は、ステップ６において、所定時間毎に前記注入量設定手段で設定した注入量データを読みに行き、現在の曜日及び時間帯について注入が設定されているか否かをチェックし、注入量データがあればそれに応じて、各水施設Ａｎについての各ポンプＰｎの駆動制御を行うのである。このステップ６において、「ＮＯ」は、注入すべきときでないことを示すものである。
【００３９】
以上の結果、この二酸化塩素水生成注入装置１００により、各水施設Ａｎにおいては、使用曜日及び使用時間帯において必要とされる二酸化塩素水の注入が行われ、各水施設Ａｎにおいて発生し得る有機物の分解が二酸化塩素水中二酸化塩素によって十分なされることになり、各水施設Ａｎ内の水の浄化・殺菌が継続されるのである。
【発明の効果】
【００４０】
以上、説明した通り、本発明においては、
「材料タンク１１ａ・１１ｂからの材料と水供給源１２からの水とを受けて、二酸化塩素を生成する反生成器１０と、この反応生成器１０１０からの二酸化塩素を貯溜する貯溜タンクと２０と、この貯溜タンク２０からの二酸化塩素を、多数の人が利用する複数の水施設Ａ１〜Ａｎにそれぞれ注入する注入ポンプＰ１〜ポンプＰｎとを備えた二酸化塩素水生成注入装置１００であって、
各水施設Ａｎについての、使用曜日及び使用時間帯毎における、前記二酸化塩素水の注入量を設定する注入設定手段と、生成すべき二酸化塩素水の濃度を設定する濃度設定手段と、
貯溜タンク２０からの残量データ及び前記濃度設定手段からの設定濃度データを受けて、反応生成器１０に供給すべき材料及び水の量を決定して、前記二酸化塩素の生成を制御する生成制御手段と、
前記注入量設定手段からの注入データを受けて、前記各水施設Ａｎの注入ポンプＰｎの制御を行うポンプ制御手段とを備えたこと」
に、その構成上の特徴があり、これにより、
（１）各水施設Ａｎの残留塩素濃度管理、あるいは不足する二酸化塩素の追加作業は、できれば１台の装置で集中管理できるようにして、管理を簡単に行えるようにすること。
（２）塩素濃度センサーを使用しない設備によって、水の浄化・殺菌を行えるようにすること。
（３）使用される曜日及び時間帯に合わせた塩素濃度管理が行えるようにすること。
のできる二酸化塩素水生成注入装置１００を提供することができるのである。
【００４１】
すなわち、本発明に係る二酸化塩素水生成注入装置１００によれば、これ１台で、複数の水施設Ａｎについての、残留塩素濃度管理、あるいは不足する二酸化塩素の追加作業を集中管理することができるのであり、各水施設Ａｎの二酸化塩素水による浄化及び殺菌管理を人手や大きな設備を要することなく行えるのである。つまり、この二酸化塩素水生成注入装置１００は、まず、前述した要望（１）を満足することができるのである。
【００４２】
また、この二酸化塩素水生成注入装置１００は、各水施設Ａｎについて、実際に使用される曜日及び時間帯における必要な二酸化塩素水のデータをとり、これに基づいて、二酸化塩素水の注入を行うようにしているから、各水施設Ａｎの循環管路中に塩素濃度センサーををそれぞれ設ける必要がないのである。換言すれば、高価ですぐ能力が落ちてしまって非効率的な塩素濃度センサーを使用しないで、二酸化塩素水の注入量制御を行える本発明に係る二酸化塩素水生成注入装置１００は、各水施設Ａｎの残量塩素濃度の管理を安価に行えるのであり、要望（１）の満足とも相まって、各水施設Ａｎの管理を効果的に行えるのである。従って、本発明に係る二酸化塩素水生成注入装置１００は、要望（２）をも満足することができる。
【００４３】
そして、本発明に係る二酸化塩素水生成注入装置１００は、各水施設Ａｎにおける実施地を注入量データとして使用しているため、各水施設Ａｎの使用曜日及び時間帯に合わせた塩素濃度管理が行えるだけでなく、夜間においては、使用曜日の人数に応じた、換言すれば、汚れ状況に応じた二酸化塩素水を注入するようにしているので、翌日朝には透明度が高く臭いもしない各水施設Ａｎをお客様に提供することができるものである。従って、この二酸化塩素水生成注入装置１００は要望（３）を満足することができる。
【発明を実施するための最良の形態】
【００４４】
次に、以上のように構成した本発明を、図面に示した最良の形態である二酸化塩素水生成注入装置１００について説明すると、図１には、複数の水施設Ａｎ（本最良形態では、大小合わせて３つのプールと、同じく３つの浴場を対象としている）の各循環管路にそれぞれ配管４０を接続して、合計６本の配管４０を１台の二酸化塩素水生成注入装置１００に接続した状態が示してある。
【００４５】
各水施設Ａｎについては、図４に示したように、毛髪除去機、ポンプ、フィルタ、及びボイラーからの湯中の熱を放出する熱交換器が組み込まれた循環管路が一系統宛設けてあり、これら各施設は、当該水施設Ａｎが建設されたとき設置されたものである。そして、各水施設Ａｎの循環管路に、二酸化塩素水生成注入装置１００から延びている各配管４０を接続しているものである。なお、図４中には塩素濃度センサーが二点鎖線にて示してあるが、この塩素濃度センサーは、本発明に係る二酸化塩素水生成注入装置１００を設置する前に使用されていたもので、当該二酸化塩素水生成注入装置１００を使用する場合には全く使用しないものである。
【００４６】
換言すれば、本発明に係る二酸化塩素水生成注入装置１００は、既設の設備に変更を加えることなく設置できるものであり、各水施設Ａｎが本来的に有している循環管路に配管４０を接続するという工事のみで、設置でき使用できるものであって、水施設Ａｎの所有権者に掛かる負担は、１台の二酸化塩素水生成注入装置１００代だけである。
【００４７】
また、この二酸化塩素水生成注入装置１００は、図１に示すように、水道等の図示しない水供給源１２からの水の供給を受けて、これに二酸化塩素を溶解させることにより二酸化塩素水を生成するものであり、二酸化塩素自体の反応生成は、図２に示した反応生成器１０によってなされるものである。本最良形態の反応生成器１０は所謂「二液タイプ」のものであり、二酸化塩素のための材料である二酸化塩素ナトリウムと酸（塩酸）は、第１材料タンク１１ａ及び第２材料タンク１１ｂから当該反応生成器１０に供給されるようになっている。これらの第１材料タンク１１ａ及び第２材料タンク１１ｂから供給されてきた材料によって二酸化塩素（ガス）が生成されるが、この二酸化塩素は水供給源１２から供給されてきた水中に反応生成器１０内にて溶け込んで二酸化塩素水が生成されるのである。
【００４８】
生成された二酸化塩素水は、図示しないポンプによって貯溜タンク２０内に送られて、この貯溜タンク２０内に貯溜しておかれる。この貯溜タンク２０には、図３に示したように、１本の注入管３０が接続してあり、この注入管３０の先には、水施設Ａｎの数に応じた数（６本）の枝管３１〜３６が接続してある。各枝管３１〜３６の先には、各ポンプＰｎを介して１本宛の配管４０が接続してあって、各配管４０の先には各水施設Ａｎの循環管路が接続してある。
【００４９】
以上の貯溜タンク２０や各ポンプＰｎ、そして前述した反応生成器１０、第１材料タンク１１ａ、第２材料タンク１１ｂは、制御装置５０によって駆動制御されるものであるが、この制御装置５０は、図１に示したように、当該二酸化塩素水生成注入装置１００の前面上部に現れるタッチディスプレイ５１を有している。このタッチディスプレイ５１は、図６に示した生成モニター画面５１ａ、図７に示した運転モニター画面５１ｂ、そして図８に示した注入設定画面５１ｃを表示できるものであり、これらの各画面において、当該二酸化塩素水生成注入装置１００を構成している各部材の作動状況を表示したり、後述する各種注入量データの入力が行えるようになっている。
【００５０】
また、制御装置５０は、図５の基本フローチャートで示した各ステップ毎の演算処理や入力データ記憶を行うものであり、当該二酸化塩素水生成注入装置１００の駆動制御を行うものである。勿論、この制御装置５０は、図５に示した基本フローチャートで示した演算処理を行うだけでなく、例えば、各二酸化塩素水生成注入装置１００の各構成部材の基本的作動等をも司るものである。
【００５１】
図５に示した基本フローチャートに戻ると、ステップ１では、各水施設Ａｎについての、使用曜日及び使用時間帯毎における、二酸化塩素水の注入量の設定が、注入設定画面５１ｃでの入力を基にしてなされ、ステップ２では、生成すべき二酸化塩素水の濃度（ｐｐｍ）の設定が、生成モニター画面５１ａでの入力を基にしてなされる。これらステップい及び”において入力されるべき具体的数値は、本発明の実測によって決定されたものであるが、本発明者は、現在稼働している各水施設Ａｎについて、次のようなパラメータを選定して実測を行った。選定したパラメータは、少なくとも次の通りのものである。
・使用曜日
・使用時間帯
・その時の使用人数（入場者数）
・そのときの二酸化塩素量（ｐｐｍ）
・二酸化塩素水注入量（二酸化塩素水供給ポンプを所定時間作動させた回数で測定した場合と、ｃｃ／分で測定した場合である）
・随時測定した透明度（メートル表示）
第１回目の測定結果を表１に示す。この第１回目の測定でが、送塩素量の測定を試薬を使用した方法（タクミナ方式）によって行った。
【表１】
2009136723.tif 000003
【００５２】
この表１から分かることは、次の２点である。
（イ）二酸化塩素の濃度は人が多く利用するにつれてどんどん下がる。これは、人体から有機物が二酸化塩素の酸化物が二酸化塩素の酸化分解作用によって二酸化塩素が消費するためであり、利用数が増加すれば、二酸化塩素水の注入量を増加しなければならない。
（ロ）水施設Ａｎの中の水の透明度が良好（１０ｍ以上）で塩素臭がしないような状態を作り出すには、二酸化塩素水の濃度は０．０５±０．０１ｐｐｍである。
【００５３】
また、この表１で使用した二酸化塩素水の濃度は、２０〜３０ｐｐｍであったが、これだと二酸化塩素水を注入するポンプの作動回数が多くなり過ぎて、ポンプに負担が掛かりすぎるので、二酸化塩素水の濃度設定を５００ｐｐｍと１０００ｐｐｍの二種類に分けて、別の日時での実測では、二酸化塩素水の注入量を、ｃｃ／分を単位とするようにしている。
【表２】
2009136723.tif 000004
【００５４】
この表２で分かることは、次の通りであった。
（ｃ）二酸化塩素水の濃度が５００ｐｐｍでは少し効きが悪く、１０００ｐｐｍが適している。
【００５５】
次に、さらに日時を変えて、二酸化塩素水の濃度を１０００ｐｐｍにし、その注入量について検討をしてみたところ、表３のような結果を得た。
【表３】
2009136723.tif 000005
【００５６】
この表３の結果によると、次の点が分かった。
（ｄ）使用者が居ない夜〜早朝でも、少し二酸化塩素水を注入しなければ、次の朝の使用時には二酸化塩素の濃度が不足する。
（ｅ）当然、人が多く入ってくれば二酸化塩素水の注入量を多くしなければならない。具体的には、その水施設Ａｎの定員数近くの人が入場すれば、１０００ｐｐｍ濃度の二酸化塩素水を２００〜３００ｃｃ／分注入するのがよい。
【００５７】
そして、入場者数が最大値をむかえると考えられる土・日の翌日の朝の状態を良好にするためにどうするかを知るために、上記結果（ｅ）を踏襲しながら、表４に示すような実験と実測を行った。
【表４】
2009136723.tif 000006
【００５８】
この表４から分かったことは、
（ｆ）人が入っていないときは、今までの結果の通りの注入を行えばよいが、人がいなくなる夜１０時以降については、２時間程度１０００ｐｐｍ濃度の二酸化塩素水を２００ｃｃ／分注入するとよい。翌朝には、有機物が殆ど分解されて、透明度が１５ｍ以上となり、臭いも殆どなくなっているからである。
【００５９】
勿論、表１〜表４の実験日の曜日についてもデータ化されており、その曜日の各時間帯における最も効果的な二酸化塩素水量も、各表の通りと理解できる。
【００６０】
以上のようにして得られた最高値を入力した後は、ステップ３で反応生成器１０での二酸化塩素水の生成がなされ、これがステップ４で貯溜タンク２０内に供給されて貯溜される。その後、ステップ５において、貯溜タンク２０内の二酸化塩素水の貯溜が十分か否かのチェック処理がなされ、十分であれば、ステップ６に移行して、各水施設Ａｎ毎における最適量の二酸化塩素水の注入が各水施設Ａｎの循環管路に対してなされるのである。なお、貯溜タンク２０内の二酸化塩素水の貯溜が十分でない場合には、ステップ３に戻ることは言うまでもない。
【００６１】
ステップ６においては、所定時間毎に前記注入量設定手段で設定した注入量データを読みに行き、現在の曜日及び時間帯について注入が設定されているか否かをチェックし、注入量データがあればそれに応じて、各水施設Ａｎについての各ポンプＰｎの駆動制御を行うのである。
【００６２】
以上のように制御された二酸化塩素水生成注入装置１００は、各水施設Ａｎにおける最適量の二酸化塩素水を注入していくのであり、各水施設Ａｎの水質を常に最適なものするのである。
【図面の簡単な説明】
【００６３】
【図１】本発明に係る二酸化塩素水生成注入装置に６本の配管を介して各水施設を接続した状態を示す模式図である。
【図２】同二酸化塩素水生成注入装置の内部を示す斜視図である。
【図３】同二酸化塩素水生成注入装置を構成している貯溜タンクに注入管及び枝管３１を介して各水施設にための配管を接続した状態を示す部分斜視図である。
【図４】各水施設の循環管路と本発明に係る二酸化塩素水生成注入装置との位置関係を示す概略図である。
【図５】同二酸化塩素水生成注入装置の制御装置が行っている基本ステップを示すフローチャート図である。
【図６】同制御装置のタッチディスプレイが表示できる実験の生成モニター画面を示す正面図である。
【図７】同タッチディスプレイの運転モニター画面を示す正面図である。
【図８】同タッチディスプレイの注入設定画面を示す正面図である。
【図９】従来技術を示す概略図である。
【図１０】従来の他の技術を示す斜視図である。
【図１１】更に従来技術を示す模式図である。
【符号の説明】
【００６４】
100   二酸化塩素水生成注入装置
10   反応生成器
11a   第１材料タンク
11b   第２材料タンク
12   水供給源
20   貯溜タンク
30   注入管
31   枝管
40   配管
50   制御装置
51   タッチディスプレイ
51a   生成モニター画面
51b   運転モニター画面
51c   注入設定画面
Pn   ポンプ
An 水施設
【図１】
2009136723.tif 000007
【図２】
2009136723.tif 000008
【図３】
2009136723.tif 000009
【図４】
2009136723.tif 000010
【図５】
2009136723.tif 000011
【図６】
2009136723.tif 000012
【図７】
2009136723.tif 000013
【図８】
2009136723.tif 000014
【図９】
2009136723.tif 000015
【図１０】
2009136723.tif 000016
【図１１】
2009136723.tif 000017